(57)【特許請求の範囲】
【請求項１】
制御チャネルリソース及びデータチャネルリソースを含む複数の通信リソースを用いて複数のユーザーデバイスと通信するように動作可能な通信デバイスであって、
該通信デバイスは、分割データを有する制御チャネルリソースアロケーターを備え、
該分割データは、前記制御チャネルリソースのアップリンクサブセット及びダウンリンクサブセットへの分割を規定し、
前記制御チャネルリソースアロケーターは、前記制御チャネルリソースの割当てを制御すべく前記分割データを用い、アップリンクユーザーデバイスのためのリソース割当てメッセージが前記アップリンクサブセット内の前記制御チャネルリソースを用いて送信され、かつダウンリンクユーザーデバイスのためのリソース割当てメッセージが前記ダウンリンクサブセット内の前記制御チャネルリソースを用いて送信されるように動作可能であり、
前記制御チャネルリソースアロケーターはまた、ｉ）前記通信デバイスに送信されることになるアップリンクデータを有する複数のユーザーデバイスを規定するデータ、ｉｉ）前記通信デバイスが送信することになるダウンリンクデータを有する複数のユーザーデバイスを規定するデータ、及びｉｉｉ）ユーザーデバイスごとに、該ユーザーデバイスがリソース割当てメッセージを見つけるために走査することになる制御チャネル要素を規定するデータを受信するように動作可能であり、
前記制御チャネルリソースアロケーターはさらに、前記受信されたデータを用いて、前記アップリンクユーザーデバイスとして、前記通信デバイスに送信されることになるアップリンクデータを有する前記ユーザーデバイスのサブセットを選択し、かつ前記ダウンリンクユーザーデバイスとして、前記通信デバイスが送信することになるダウンリンクデータを有する前記ユーザーデバイスのサブセットを選択するように動作可能であり、
前記制御チャネル要素が１つの系列に配列され、
前記アップリンクサブセットに属する前記制御チャネル要素のグループ、及び前記ダウンリンクサブセットに属する前記制御チャネル要素のグループは、前記制御チャネル要素が配列された１つの系列内に擬似ランダムに分布し、
前記制御チャネルリソースアロケーターはさらに、任意の時点のアップリンク及びダウンリンクの相対的なセル負荷に基づいて、アップリンク及びダウンリンクのために予約される制御チャネルリソースの割合を動的に調整することを選択可能である通信デバイス。
【請求項２】
前記分割データは前記制御チャネル要素の複数のグループを規定し、各グループは前記制御チャネルリソースの連続したブロックを含み、前記アップリンクサブセット及び前記ダウンリンクサブセットはそれぞれ複数の前記グループを含む請求項１に記載の通信デバイス。
【請求項３】
前記分割データは制御チャネル要素の固定サイズのグループを規定する請求項２に記載の通信デバイス。
【請求項４】
前記通信デバイスは、複数のサブフレームを用いて前記ユーザーデバイスと通信するように動作可能であり、前記制御チャネルリソースアロケーターは、異なるサブフレームにおいて異なるサイズのグループを規定する分割データを含む請求項２又は３に記載の通信デバイス。
【請求項５】
前記分割データは各サブフレーム内に固定サイズのグループを規定する請求項４に記載の通信デバイス。
【請求項６】
データチャネルリソースを前記アップリンクユーザーデバイスにスケジューリングし、前記アップリンクユーザーデバイスが前記通信デバイスにアップリンクデータを送信できるように動作可能であり、かつ前記ダウンリンクユーザーデバイスにデータチャネルリソースをスケジューリングし、前記ダウンリンクユーザーデバイスが前記通信デバイスによって送信されることになるダウンリンクデータを受信できるように動作可能なスケジューラを備える請求項１〜５のいずれか一項に記載の通信デバイス。
【請求項７】
前記スケジューリングされたアップリンクユーザーデバイス及び前記スケジューリングされたダウンリンクユーザーデバイスのためのリソース割当てメッセージを生成するように動作可能であり、かつ前記制御チャネルリソースアロケーターによって割り当てられた前記制御チャネルリソースを用いて、前記スケジューリングされたアップリンクユーザーデバイス及び前記スケジューリングされたダウンリンクユーザーデバイスに前記生成されたリソース割当てメッセージを送信するように動作可能な通信コントローラを備える請求項６に記載の通信デバイス。
【請求項８】
前記制御チャネルリソースアロケーターは、各アップリンクユーザーデバイス及び各ダウンリンクユーザーデバイスにそれぞれの制御チャネルリソースを割り当てるように動作可能であり、前記通信コントローラは、スケジューリングされたユーザーデバイスごとに、該ユーザーデバイスに割り当てられた前記制御チャネルリソースを用いて前記リソース割当てメッセージを送信するように動作可能である請求項７に記載の通信デバイス。
【請求項９】
無線通信システムの基地局である請求項１〜８のいずれか一項に記載の通信デバイス。
【請求項１０】
制御チャネルリソース及びデータチャネルリソースを含む複数の通信リソースを用いて複数のユーザーデバイスと通信する通信デバイスによって実行される方法であって、
該方法は、前記制御チャネルリソースのアップリンクサブセット及びダウンリンクサブセットへの分割を規定する分割データを前記通信デバイス内に保持することと、
前記制御チャネルリソースの割当てを制御すべく、アップリンクユーザーデバイスのためのリソース割当てメッセージが前記アップリンクサブセット内の前記制御チャネルリソースを用いて送信され、かつダウンリンクユーザーデバイスのためのリソース割当てメッセージが前記ダウンリンクサブセット内の前記制御チャネルリソースを用いて送信されるように、前記分割データを用いることと、を含み、
さらに、ｉ）前記通信デバイスに送信されることになるアップリンクデータを有する複数のユーザーデバイスを規定するデータ、ｉｉ）前記通信デバイスが送信することになるダウンリンクデータを有する複数のユーザーデバイスを規定するデータ、及びｉｉｉ）ユーザーデバイスごとに、リソース割当てメッセージを受信するために前記ユーザーデバイスが利用可能な制御チャネル要素を規定するデータを受信することと、
前記アップリンクユーザーデバイスとして、前記通信デバイスに送信されることになるアップリンクデータを有する前記ユーザーデバイスのサブセットを選択し、かつ前記ダウンリンクユーザーデバイスとして、前記通信デバイスが送信することになるダウンリンクデータを有する前記ユーザーデバイスのサブセットを選択すべく、前記受信されたデータを用いることと、を含み、
前記制御チャネル要素が１つの系列に配列され、
前記アップリンクサブセットに属する前記制御チャネル要素のグループ、及び前記ダウンリンクサブセットに属する前記制御チャネル要素のグループは、前記制御チャネル要素が配列された１つの系列内に擬似ランダムに分布し、
さらに、任意の時点のアップリンク及びダウンリンクの相対的なセル負荷に基づいて、アップリンク及びダウンリンクのために予約される制御チャネルリソースの割合を動的に調整することを選択可能とした、方法。
【請求項１１】
前記分割データは前記制御チャネル要素の複数のグループを規定し、各グループは前記制御チャネルリソースの連続したブロックを含み、前記アップリンクサブセット及び前記ダウンリンクサブセットはそれぞれ複数の前記グループを含む請求項１０に記載の方法。
【請求項１２】
前記分割データは制御チャネル要素の固定サイズのグループを規定する請求項１１に記載の方法。
【請求項１３】
複数のサブフレームを用いて前記ユーザーデバイスと通信することを含み、前記保持することは、異なるサブフレームにおいて異なるサイズのグループを規定する分割データを保持する請求項１１又は１２に記載の方法。
【請求項１４】
前記分割データを保持することは、各サブフレーム内に固定サイズのグループを規定する分割データを保持する請求項１３に記載の方法。
【請求項１５】
前記アップリンクユーザーデバイスが前記通信デバイスにアップリンクデータを送信できるようにすべく、データチャネルリソースを前記アップリンクユーザーデバイスにスケジューリングすることと、前記ダウンリンクユーザーデバイスが前記通信デバイスによって送信されることになるダウンリンクデータを受信できるようにすべく、前記ダウンリンクユーザーデバイスにデータチャネルリソースをスケジューリングすることと、を含む、請求項１０〜１４のいずれか一項に記載の方法。
【請求項１６】
前記スケジューリングされたアップリンクユーザーデバイス及び前記スケジューリングされたダウンリンクユーザーデバイスのためのリソース割当てメッセージを生成することと、前記制御チャネルリソースの割当てによって割り当てられた前記制御チャネルリソースを用いて、前記スケジューリングされたアップリンクユーザーデバイス及び前記スケジューリングされたダウンリンクユーザーデバイスに前記生成されたリソース割当てメッセージを送信することと、を含む請求項１５に記載の方法。
【請求項１７】
各アップリンクユーザーデバイス及び各ダウンリンクユーザーデバイスにそれぞれの制御チャネルリソースを割り当てることを含み、前記生成されたリソース割当てメッセージを送信することは、スケジューリングされたユーザーデバイスごとに、該ユーザーデバイスに割り当てられた前記制御チャネルリソースを用いて前記リソース割当てメッセージを送信する請求項１６に記載の方法。
【請求項１８】
請求項１〜９のいずれか一項に記載の通信デバイスと１つ又は複数のユーザーデバイスとを含む通信システム。
【請求項１９】
プログラマブル通信デバイスに請求項１０〜１７のいずれか一項に記載の方法を実行させるためのコンピューター実施可能命令を含むコンピューター実施可能命令記録媒体。
【発明の詳細な説明】
【技術分野】
【０００１】
本発明は通信システム内のリソースの割当てのための制御シグナリングに関する。本発明は、限定はしないが、周波数分割多元接続（ＦＤＭＡ）通信システムにおいてアップリンク及び／又はダウンリンクのユーザーデータ通信のための物理リソースブロック（ＰＲＢ）の割当てをシグナリングするために用いられる制御チャネルリソースの効率的な割当てに特に関連している。
【０００２】
本出願は、２０１０年２月１０日付けで出願された、英国特許出願第１００２２１５．０号に基づき、該特許出願からの優先権の利益を主張し、その開示は、参照によりその全体が本明細書に援用される。
【背景技術】
【０００３】
無線通信システムにおいて、ユーザーデバイスは、エアーインターフェースを介してデータを送受信するために、物理無線リソースを割り当てる必要があり、ユーザーデバイスは制御シグナリングによって、該ユーザーデバイスのリソース割当てを通知されなければならない。ＵＴＲＡＮ（ＵＭＴＳ（ユニバーサル移動通信システム）地上無線アクセスネットワーク）のロングタームエボリューション（ＬＴＥ）では、物理ダウンリンク制御チャネル（ＰＤＣＣＨ）がスケジューリング割当て及び他の制御情報を搬送し、スケジューリング割当てをセル内のユーザーにシグナリングするために用いられるＰＤＣＣＨリソースが、サービング（ｓｅｒｖｉｎｇ）基地局によって動的に割り当てられる。
【０００４】
ＰＤＣＣＨは、１つ又は複数の連続した制御チャネル要素（ＣＣＥ）の集合体からなり、１つのＣＣＥは基地局セルの利用可能な物理無線リソースの一部を占有する。１つのセル内で利用可能なＣＣＥの全数は、そのセルのシステム帯域幅、及び所与のサブフレームにおいてＰＤＣＣＨ送信のために予約されるＯＦＤＭ（直交周波数分割多重化）シンボルの数による。所与のＣＣＥを用いて、ＵＬ（アップリンク）又はＤＬ（ダウンリンク）のいずれかのリソース割当てをシグナリングすることができ、１つのセル内のＣＣＥリソースはＤＬスケジューラとＵＬスケジューラとの間で共有されなければならない。ＣＣＥ割当てを受信し損ねた候補ユーザーデバイスはブロックされたと言われる。ＣＣＥブロッキングは、メインスケジューラが、低減され、かつ準最適な候補ユーザーデバイスリストに基づいて動作していることを意味するので、全セルスループットに悪影響を及ぼす。
【０００５】
ＣＣＥ割当ての１つの既知の方法では、ＵＬ  ＣＣＥ割当て及びＤＬ  ＣＣＥ割当てが同時に実行されるものと仮定される。ＣＣＥリソースはＵＬユーザー及びＤＬユーザーに順に割り当てられる。この結果、ＵＬとＤＬとの間の「ブロッキング」の確率は概ね等しくなる。しかしながら、幾つかの実施態様では、ＵＬスケジューラ及びＤＬスケジューラは物理的に別々のプロセッサ上で動作し、サブフレーム内の異なる時刻において実行する。この場合、ＵＬ及びＤＬのためのＣＣＥ割当て処理は同時に実行することはできない。
【０００６】
ＣＣＥ割当ての別の既知の方法では、ＤＬのために割り当てられるＣＣＥの数が或るしきい値以上になるまで、ＤＬユーザー（すなわち、送信されるダウンリンクデータを有するユーザーデバイス）が最初に割り当てられ、その後、ＵＬユーザー（すなわち、送信するアップリンクデータを有するユーザーデバイス）がＤＬによって使用されなかったＣＣＥの中からＣＣＥを割り当てられる。この方法の利点は、ＵＬ  ＣＣＥ割当て及びＤＬ  ＣＣＥ割当てが同時に実行される必要がないので、ＵＬスケジューラ及びＤＬスケジューラが異なる時刻において実行できることである。しかしながら、ＣＣＥ  ＵＬ割当てのための自由度が、ＤＬに対して既に行なわれたＣＣＥ割当てによって制限されるので、この方法は、ＵＬ  ＣＣＥブロッキングの確率が高いという不都合がある。
【発明の概要】
【発明が解決しようとする課題】
【０００７】
それゆえ、ＣＣＥ割当てのための代替の方法及び装置が必要とされている。
【課題を解決するための手段】
【０００８】
一態様によれば、本発明は、ＣＣＥが少なくとも２つのサブセットに分割され、それにより、各サブセットがＵＬユーザー又はＤＬユーザーをスケジューリングするために排他的に使用されるように予約される、ＣＣＥ割当てのための方法及び装置を提供する。
【０００９】
一態様によれば、本発明は、制御チャネルリソース及びデータチャネルリソースを含む複数の通信リソースを用いて複数のユーザーデバイスと通信するように動作可能な通信デバイスを提供する。該通信デバイスは、分割データを有する制御チャネルリソースアロケーターを備え、該分割データは、前記制御チャネルリソースのアップリンクサブセット及びダウンリンクサブセットへの分割を規定し、前記制御チャネルリソースアロケーターは、前記制御チャネルリソースの割当てを制御すべく前記分割データを用い、アップリンクユーザーデバイスのためのリソース割当てメッセージが前記アップリンクサブセット内の前記制御チャネルリソースを用いて送信され、かつダウンリンクユーザーデバイスのためのリソース割当てメッセージが前記ダウンリンクサブセット内の前記制御チャネルリソースを用いて送信されるように動作可能である。
【００１０】
制御チャネル要素は１つの系列に配列することができ、前記分割データは前記制御チャネル要素の複数のグループを規定することができ、各グループは制御チャネルリソースの連続したブロックを含み、前記アップリンクサブセット及び前記ダウンリンクサブセットはそれぞれ複数のグループを含むことができる。前記分割データは制御チャネル要素の固定サイズのグループを規定することができる。前記通信デバイスは、複数のサブフレームを用いて前記ユーザーデバイスと通信することができ、前記制御チャネルリソースアロケーターは、異なるサブフレームにおいて異なるサイズのグループを規定する分割データを含む。
【００１１】
前記アップリンクサブセットに属する前記制御チャネル要素のグループ、及び前記ダウンリンクサブセットに属する前記制御チャネル要素のグループは、前記制御チャネル要素系列内に均等に分布することができる。前記アップリンクサブセットに属する前記制御チャネル要素のグループ、及び前記ダウンリンクサブセットに属する前記制御チャネル要素のグループは、前記制御チャネル要素系列内に擬似ランダムに分布することができる。
【００１２】
一実施の形態では、前記制御チャネルリソースアロケーターは、ｉ）前記通信デバイスに送信されることになるアップリンクデータを有する複数のユーザーデバイスを規定するデータ、ｉｉ）前記通信デバイスが送信することになるダウンリンクデータを有する複数のユーザーデバイスを規定するデータ、及びｉｉｉ）ユーザーデバイスごとに、該ユーザーデバイスがリソース割当てメッセージを見つけるために走査することになる制御チャネル要素を規定するデータを受信し、前記受信されたデータを用いて、前記アップリンクユーザーデバイスとして、前記通信デバイスに送信されることになるアップリンクデータを有するユーザーデバイスのサブセットを選択し、かつ前記ダウンリンクユーザーデバイスとして、前記通信デバイスが送信することになるダウンリンクデータを有する前記ユーザーデバイスのサブセットを選択する。
【００１３】
前記デバイスは、データチャネルリソースを前記アップリンクユーザーデバイスにスケジューリングし、該アップリンクユーザーデバイスが前記通信デバイスにアップリンクデータを送信できるようにし、かつ前記ダウンリンクユーザーデバイスにデータチャネルリソースをスケジューリングし、該ダウンリンクユーザーデバイスが前記通信デバイスによって送信されることになるダウンリンクデータを受信できるようにするスケジューラを備えることができる。
【００１４】
前記デバイスはまた、前記スケジューリングされたアップリンクユーザーデバイス及び前記スケジューリングされたダウンリンクユーザーデバイスのためのリソース割当てメッセージを生成するように動作可能であり、かつ前記制御チャネルリソースアロケーターによって割り当てられた前記制御チャネルリソースを用いて、前記スケジューリングされたアップリンクユーザーデバイス及び前記スケジューリングされたダウンリンクユーザーデバイスに前記生成されたリソース割当てメッセージを送信するように動作可能な通信コントローラも備えることができる。前記制御チャネルリソースアロケーターは、各アップリンクユーザーデバイス及び各ダウンリンクユーザーデバイスにそれぞれの制御チャネルリソースを割り当てることができ、前記通信コントローラは、スケジューリングされたユーザーデバイスごとに、該ユーザーデバイスに割り当てられた前記制御チャネル要素を用いて前記リソース割当てメッセージを送信することができる。
【００１５】
別の態様によれば、本発明は、制御チャネルリソース及びデータチャネルリソースを含む複数の通信リソースを用いて複数のユーザーデバイスと通信する通信デバイスによって実行される方法を提供する。該方法は、前記制御チャネルリソースのアップリンクサブセット及びダウンリンクサブセットへの分割を規定する分割データを前記通信デバイス内に保持することと、前記制御チャネルリソースの割当てを制御すべく、アップリンクユーザーデバイスのためのリソース割当てメッセージが前記アップリンクサブセット内の前記制御チャネルリソースを用いて送信され、かつダウンリンクユーザーデバイスのためのリソース割当てメッセージが前記ダウンリンクサブセット内の前記制御チャネルリソースを用いて送信されるように、前記分割データを用いることと、を含む。
【００１６】
本発明は、全ての開示された方法について、対応するユーザー通信デバイス又はネットワーク通信デバイス上で実行するための対応するコンピュータープログラム又はコンピュータープログラム製品も提供する。本発明は、本方法を実施するように構成されるか又は動作可能なユーザー通信デバイス及びネットワーク通信デバイス、並びに該デバイスの構成要素、並びにこれらを更新する方法も提供する。
【００１７】
例示としてのみ与えられ、添付の図面を参照して説明される一実施形態の以下の詳細な説明から、本発明のこれらの態様及び種々の他の態様が明らかとなる。
【図面の簡単な説明】
【００１８】
【図１】電話網に接続された基地局と通信する複数のユーザー移動（セルラー）電話を含む通信システムを概略的に示す図である。
【図２ａ】図１に示されるシステムの無線リンクを介して通信する際に用いられる汎用フレーム構造を概略的に示す図である。
【図２ｂ】周波数サブキャリアがリソースブロックに分割される方法、及びタイムスロットが複数のＯＦＤＭシンボルに分割される方法を概略的に示す図である。
【図３】図１に示す基地局の主要構成要素を示すブロック図である。
【図４】図１に示す移動電話の主要構成要素を示すブロック図である。
【図５】連続したＣＣＥをＵＬ  ＣＣＥ割当て及びＤＬ  ＣＣＥ割当てのための２つのグループにグループ分けすることができる方法を示す図である。
【図６】連続したＣＣＥをＵＬ  ＣＣＥ割当て及びＤＬ  ＣＣＥ割当てのための２つのグループにグループ分けすることができる別の方法を示す図である。
【図７】連続したＣＣＥをＵＬ  ＣＣＥ割当て及びＤＬ  ＣＣＥ割当てのための２つのグループにグループ分けすることができる別の方法を示す図である。
【図８】連続したＣＣＥをＵＬ  ＣＣＥ割当て及びＤＬ  ＣＣＥ割当てのための２つのグループにグループ分けすることができる別の方法を示す図である。
【発明を実施するための形態】
【００１９】
概説
図１は移動（セルラー）通信システム１を概略的に示しており、その通信システムでは、移動電話３−０、３−１及び３−２のユーザーが基地局５及び電話網７を介して他のユーザー（図示せず）と通信することができる。この実施形態では、基地局５は、移動電話３にダウンリンクデータを送信するのに直交周波数分割多重アクセス（ＯＦＤＭＡ）技法を用い、移動電話３は、該移動電話のアップリンクデータを基地局５に送信するのに単一キャリア周波数分割多重アクセス（ＦＤＭＡ）技法を用いる。基地局５は、移動電話３ごとにアップリンク及びダウンリンク両方におけるリソースを割り当てる役割を果たし、ＰＤＣＣＨ内の複数のＣＣＥを用いて、スケジューリングされた各移動電話３にその割当てを通知する。本発明は、基地局５がリソース割当てのためのＣＣＥを割り当てる方法に特に関連している。
【００２０】
ＬＴＥサブフレームデータ構造
基地局５が移動電話３にリソースを割り当てる特定の方法を検討する前に、ＬＴＥリリース８（Ｒｅｌ８）について合意された一般フレーム構造、したがってこれらのリソースが表すものについて説明する。上記で言及されたように、ダウンリンクの場合、ＯＦＤＭＡ技法を用いて基地局５がエアーインターフェースを介して個々の移動電話３にユーザーデータを送信できるようになり、アップリンクの場合、ＳＣ（シングルキャリア）−ＦＤＭＡ技法を用いて、移動電話３がエアーインターフェースを介して基地局５にそのデータを送信できるようになる。各方向に送信されることになるデータの量に応じて、基地局５によって各移動電話３に様々なサブキャリアが（所定の時間にわたって）割り当てられる。これらのサブキャリア及び時間の割当ては、ＬＴＥ仕様書において物理リソースブロック（ＰＲＢ）として規定される。それゆえ、ＰＲＢは時間及び周波数次元を有する。基地局５は、該基地局５がサービス提供しているデバイスごとにＰＲＢを動的に割り当て、制御チャネル（ＰＤＣＣＨ）において、サブフレーム（ＴＴＩ）ごとの割当てを、スケジューリングされた移動電話３のそれぞれにシグナリングする。
【００２１】
図２ａに示されるように、エアーインターフェースによる基地局５とのＬＴＥ  Ｒｅｌ  ８通信のために合意された汎用フレーム構造は１０ミリ秒長であり、１ミリ秒持続時間の１０個のサブフレーム（送信時間間隔（ＴＴＩ）として知られる）を含む。各サブフレーム又はＴＴＩは０．５ミリ秒持続時間の２個のスロットを含む。各スロットは、標準サイクリックプレフィックス（ＣＰ）が用いられるか、拡張サイクリックプレフィックスが用いられるかに応じて、６個又は７個のＯＦＤＭＡシンボルを含む。利用可能なサブキャリアの全数は、システムの全送信帯域幅による。ＬＴＥ仕様は、１．４ＭＨｚ〜２０ＭＨｚのシステム帯域幅のためのパラメーターを規定し、現在、１つのＰＲＢは、１スロットに１２個又は２４個の連続したサブキャリアを含むように規定される。ＬＴＥ仕様によれば、基地局スケジューラによって割り当てられるリソース割当ての最も小さな要素として、２スロットにわたるＰＲＢも規定されている。その後、これらのサブキャリアは１つのコンポーネントキャリア上で変調され、信号が所望の送信帯域幅にアップコンバートされる。したがって、送信信号は、Ｎｓｙｍｂシンボルの持続時間にわたるＮＢＷ個のサブキャリアを含み、図２ｂに示されるように、リソースグリッドで表すことができる。グリッド内の各ボックスは１シンボル周期にわたる単一のサブキャリアを表しており、リソース要素と呼ばれる。図示されるように、この場合、１２個の連続したサブキャリア及びサブキャリア毎の７個のシンボルから、各ＰＲＢ２１が形成されるが、実際には、各サブフレームの第２のスロットにおいても同じ割当てが行なわれる。移動電話のためのリソース割当てデータを含む制御チャネルは、各サブフレーム１５の最初の３個のＯＦＤＭシンボル内で連続したＣＣＥにおいて送信される。
【００２２】
基地局
図３は、本発明の一実施形態において用いられる基地局５の主要構成要素を示すブロック図である。図示されるように、基地局５は送受信機回路２１を備え、送受信機回路２１は、１つ又は複数のアンテナ２３を介して、移動電話３に対し信号を送受信し、かつ、ネットワークインターフェース２５を介して、電話網７に対し信号を送受信するように動作可能である。送受信機回路２１の動作は、メモリ２９に格納されるソフトウェアに従って、１つ又は複数のコントローラ（プロセッサ）２７によって制御される。ソフトウェアは、とりわけ、オペレーティングシステム３１と、通信制御モジュール３３と、アップリンクスケジューラ３５と、ダウンリンクスケジューラ３７と、ＣＣＥ割当てモジュール３９とを含む。通信制御モジュール３３は、基地局５と移動電話３との間及び基地局５と電話網７との間の通信を制御するように動作可能である。アップリンクスケジューラ３５は、該スケジューラ３５のアップリンクデータを受信する移動電話３との通信において、送受信機回路２１によって用いられるリソースを割り当てるように動作可能であり、ダウンリンクスケジューラ３７は、該スケジューラのダウンリンクデータを送信する移動電話３との通信において、送受信機回路２１によって用いられるリソースを割り当てるように動作可能である。ＣＣＥ割当てモジュール３９は、アップリンクスケジューラ３５又はダウンリンクスケジューラ３７によって現在のサブフレーム１５においてデータを送信又は受信するようにスケジューリングされる移動電話３に送信されるＰＲＢリソース割当てメッセージを搬送するために用いられる制御チャネルシグナリングのためのＣＣＥを割り当てるように動作可能である。ＣＣＥ割当てモジュールは、制御チャネル要素をアップリンクＣＣＥ及びダウンリンクＣＣＥに分割する分割データ４１、並びに各移動電話３が現在のサブフレーム１５においてどのＣＣＥを復号するように構成されるかを規定する移動電話（ＭＴ）データ４３を用いて、これを行なう。ＣＣＥ割当てモジュール３９は、この分割データ及びこのＭＴデータを基地局５内の別のモジュール又はコアネットワーク内のデバイスのいずれかから受信することになる。
【００２３】
移動電話
図４は、図１に示される各移動電話３の主要構成要素を概略的に示す。図示されるように、移動電話３は送受信機回路７１を含み、該送受信機回路は、１つ又は複数のアンテナ７３を介して基地局５に対し信号を送受信するように動作可能である。図示されるように、移動電話３は少なくとも１つのコントローラ（プロセッサ）７５を含み、該コントローラは移動電話３の動作を制御し、送受信機回路７１並びにスピーカー７７、マイクロフォン７９、ディスプレイ８１及びキーパッド８３に接続される。コントローラ（プロセッサ）７５は、メモリ８５内に格納されるソフトウェア命令に従って動作する。図示されるように、これらのソフトウェア命令は、とりわけ、オペレーティングシステム８７、リソース決定モジュール８９及び通信制御モジュール９１を含む。リソース決定モジュール８９は、ＰＤＣＣＨ内のＣＣＥを復号し、移動電話３が現在のサブフレームにおいてアップリンク若しくはダウンリンクのいずれか、又は両方に任意の物理リソースブロックを割り当てられたかを判断し、割り当てられた場合には、それらの割当てが何であるかを判断するように動作可能である。その後、通信制御モジュール９１は、基地局５によって割り当てられたリソースを用いる基地局５との通信を制御するように動作可能である。
【００２４】
上記の説明において、基地局５及び移動電話３は、理解しやすくするために、複数の別々のモジュール（通信制御モジュール、リソース割当てモジュール及びスケジューラモジュール等）を有するものとして説明されている。或る適用形態、例えば、既存のシステムが本発明を実施するように変更された場合には、これらのモジュールはこのようにして設けられる場合があるが、他の適用形態、例えば、最初から本発明の特徴を念頭に入れて設計されたシステムでは、これらのモジュールは全体としてオペレーティングシステム又はコードの中に組み込むことができるので、これらのモジュールは別々のエンティティとして区別できない場合もある。別々のモジュールが設けられる場合、上記のモジュールのうちの１つ又は複数のモジュールの機能を単一のモジュールによって実行することもできる。例えば、ＣＣＥ割当てモジュールの機能、並びにＵＬスケジューラ及びＤＬスケジューラの機能は単一のスケジューラモジュールによって実行することができる。
【００２５】
ＣＣＥ割当て
ＣＣＥ割当てに関する一般的な問題、及びＣＣＥ割当てモジュール３９がリソースシグナリングのためのＣＣＥを割り当てることができる種々の方法が、ここで記述される。
【００２６】
移動電話３がエアーインターフェースを介してデータを送受信することができるために、移動電話３には物理リソースブロックを割り当てる必要があり、移動電話３には、ＬＴＥの場合にはＰＤＣＣＨ内での制御シグナリングによって該移動電話３のリソース割当てを通知しなければならない。ＰＤＣＣＨは、１つ又は複数の連続した制御チャネル要素（ＣＣＥ）の集合体からなり、１つのＣＣＥは基地局セルの利用可能な物理リソースブロックの一部を占有する。ＬＴＥでは、各ＣＣＥは９個のリソース要素グループに対応し、各リソース要素グループは８ビットの制御データに対応する。１つのセル内で利用可能なＣＣＥの全数は、セルのシステム帯域幅、及び所与のサブフレームにおいてＰＤＣＣＨ送信のために予約されるＯＦＤＭシンボルの数による。ＬＴＥでは、各サブフレームの最初の３個のＯＦＤＭシンボルが、ＰＤＣＣＨ制御データを搬送することに充てられる。
【００２７】
ＬＴＥのために規定されるＰＤＣＣＨは、以下の表１に記載されるような複数のフォーマットをサポートする。これらのフォーマットは様々な符号化率に対応しており、その結果、セルのエッジに位置する移動電話３は、該移動電話３のリソース割当てメッセージのために、セルの中心に近い移動電話３よりも高いＰＤＣＣＨフォーマット（それゆえ、より多くのＣＣＥリソース）を必要とする場合がある。所与の移動電話３によって必要とされるＰＤＣＣＨフォーマットは、そのチャネル条件に従って経時的に変化する場合があり、フォーマットは基地局５によって動的に選択される。移動電話３がリソース割当てメッセージを検出し損なう場合があることを覚悟して、より低いフォーマットを割当てることができる。
【００２８】
【表１】
0005601482.tif 000002
【００２９】
サブフレーム１５において複数のＰＤＣＣＨを送信することができるが、ｎ個の連続したＣＣＥからなるＰＤＣＣＨは、ｉ  ｍｏｄ  ｎ＝０を満たすＣＣＥにおいてのみ開始することができる。ただし、ｉはＣＣＥ番号である。
【００３０】
所与のＣＣＥを用いてＵＬリソース割当て又はＤＬリソース割当てのいずれかをシグナリングすることができ、セル内のＣＣＥリソースはＵＬスケジューラ３５とＤＬスケジューラ３７との間で共有されなければならない。
【００３１】
移動電話３は、リソース割当てをいつシグナリングされることになるか、又はリソース割当てをシグナリングするためにどのＣＣＥが用いられることになるか、又はどのＰＤＣＣＨフォーマットが用いられることになるかをあらかじめ知らない。それゆえ、各移動電話３は、リソース割当てメッセージを見つけるために、サブフレーム１５ごとにＰＤＣＣＨを搬送するために用いられるリソースを走査しなければならない。このプロセスの複雑さを妥当な限度内に抑えるために、各移動電話３のリソース決定モジュール８９は、セル内のＣＣＥのサブセットのみを探索する。このセブセットは経時的に変化し、ＣＣＥ割当てモジュール３９（図３に示されるＭＴデータ４３によって規定される）及び移動電話３内のリソース決定モジュール８９の両方に既知であるユーザー固有擬似ランダムプロセスによって規定される。
【００３２】
ＰＤＣＣＨ動作の更なる詳細については、読者は3GPP TS 36.211 Version 9.0.0, 「Evolved Universal Terrestrial Radio Access (E-UTRA); Physical channels and modulation」のセクション６．８．１及び3GPP TS 36.213 Version 9.0.1,「Evolved Universal Terrestrial Radio Access (E-UTRA); Physical layer procedures」のセクション９．１．１を参照されたい。それらの文献の内容は参照により本明細書に援用される。
【００３３】
各移動電話３が任意の所与のサブフレーム１５においてＣＣＥのサブセットのみを監視しているということは、ＣＣＥ割当てモジュール３９にとって、ＣＣＥ割当て問題を更に難しくする。なぜなら、それは、サブフレーム内に未使用のＣＣＥが存在する場合であっても、どのＣＣＥが他の移動電話３に既に割り当てられているかによって、所与の移動電話３にＣＣＥリソースを割当てできない場合があることを意味するためである。
【００３４】
最良の全体性能を得るために、ＣＣＥリソース割当て（ＣＣＥ割当てモジュール３９によって実行される）は、スケジューラ処理（ＵＬスケジューラ３５及びＤＬスケジューラ３７によって実行される）の一部として実行されるべきである。しかしながら、これは、スケジューリングアルゴリズムを著しく複雑にする可能性がある。効率は下がるが、より実用的な解決策は、メインスケジューリングアルゴリズムの前に、最初にＣＣＥ割当てを実行することである。言い換えると、ＣＣＥ割当てモジュール３９は、送信するアップリンクデータを有する全ての移動電話３、及び基地局５が送信するダウンリンクデータを有する全ての移動電話３の詳細を受信することになり、効率的なＣＣＥ割当てを達成することができる候補移動電話３のサブセットを識別することになる。そのとき、（暫定的な）ＣＣＥ割当てを受信するのに成功した候補移動電話３のみが、メインスケジューリングアルゴリズムのための候補と見なされる。これは好ましい手法であり、本実施形態において講じられる手法である。
【００３５】
この実施形態では、ＣＣＥ割当てモジュール３９は分割データ４１を用いてＣＣＥを２つのサブセットに分割し、各サブセットがＵＬスケジューラ３５又はＤＬスケジューラ３７のいずれかによって排他的に用いられるように予約される。この場合、ＵＬ  ＣＣＥ割当て及びＤＬ  ＣＣＥ割当ては同時に実行される必要はなく、ＵＬ及びＤＬに関するブロッキングは同様になるであろう。
【００３６】
ＣＣＥ割当てモジュール３９がこれを行なうことができる１つの方法は、２つの連続したブロックへのＣＣＥの分割を規定することである。しかしながら、これは好ましくない。その理由は、所与の移動電話３によって走査されるＣＣＥサブセットが全体として２つの被分割部分（partitions）のうちの１つに含まれることになり、これは１つの方向（ＵＬ又はＤＬ）における通信が失われることを意味することになる可能性が高いからである。例えば、移動電話のサブセットがＵＬ被分割部分内に含まれる場合には、その移動電話が（少なくともそのサブフレームにおいて）ＤＬデータを受信するようにスケジューリングすることはできないであろう。
【００３７】
代替的には、分割データ４１は連続したＣＣＥをＵＬとＤＬとの間で交互に入れ替える、例えば、偶数番目のＣＣＥをＵＬに、奇数番目のＣＣＥをＤＬに割当てすることによって分割を規定することができる。しかしながら、１つの移動電話３についてのＣＣＥ割当ては連続的なＣＣＥからなるものでなければならず、この方法を用いることは、ＰＤＣＣＨフォーマット０しか用いることができず（上記の表１を参照）、より高いＰＤＣＣＨフォーマットを必要とする移動電話３は永久にブロックされることを意味することになるので、この手法も好ましくない。
【００３８】
ここで、複数の他の更に好ましい分割方法が記述される。
【００３９】
方法１
この方法１では、分割データ４１は、ＵＬ割当て又はＤＬ割当てのいずれかのために連続したＣＣＥのグループを交互に入れ替わるように予約する。これは、４ＣＣＥのグループサイズについては図５に示されており、８ＣＣＥのグループサイズについては図６に示されている。当業者には認識されるように、４ＣＣＥのグループサイズの場合、ＰＤＣＣＨフォーマット３は用いることができないが、これは、セルサイズ等によって、幾つかの状況においては受け入れることができる。
【００４０】
一般的に、グループサイズを小さくすると、結果としてＣＣＥ割当てがより効率的になる（それゆえ、全セルスループットがより良好になる）が、ＰＤＣＣＨフォーマットの制約が増えるという犠牲を払うことになる。
【００４１】
方法２
分割データ４１がサブフレーム間のグループサイズの変化を規定することを除けば、この方法２は上記の方法１に類似である。図７は、隣接するサブフレームにおいてグループサイズが４ＣＣＥと８ＣＣＥとの間で交互に入れ替わる一例を示す。この方法によれば、ＣＣＥ割当てモジュール３９及びＵＬ／ＤＬスケジューラ３５／３７は、より大きなＰＤＣＣＨフォーマットを必要とする移動電話３を、幾つかのサブフレーム１５においてのみではあるが、スケジューリングできる。残りのサブフレームでは、より小さなグループサイズを用いることによってスケジューリング効率が改善される。
【００４２】
方法３
この方法３では、分割データ４１は、上記の方法１の場合と同様に、ＣＣＥを固定サイズの複数のグループに編成するが、ＵＬ及びＤＬの交互パターンを用いる代わりに、それらのグループはＵＬ又はＤＬのいずれかに擬似ランダムに割当てられる。擬似ランダム割当てでは、隣接するグループはしばしば同じリンク方向に割り当てられることになり、１つのグループよりも大きな連続したブロックを必要とするＰＤＣＣＨフォーマットのための送信機会を与える。図８は、４ＣＣＥのグループサイズがＵＬ又はＤＬに対して擬似ランダムに割当てされる一例を示す。
【００４３】
分割データ４１は、ＵＬ及びＤＬ両方のために予約されるＣＣＥの割合が一定であるように生成されることが好ましい。これは、例えば、ＵＬに対してグループの最初の半分及びＤＬに対して残りを割り当て、その後、結果として生じるグループ分布を規定する分割データ４１を生成する前に、それらのグループを擬似ランダムに並べ替えることによって達成することができる。
【００４４】
上記で説明した方法の全てにおいて、ＵＬ及びＤＬに対して等しいＣＣＥリソースが予約されるものと仮定されている。しかしながら、これは必ずしも当てはまらない。ＣＣＥ割当てモジュール３９は、例えば、任意の所与の時点のＵＬ及びＤＬの相対的なセル負荷に基づいて、ＵＬ及びＤＬのために予約されるＣＣＥリソースの割合を動的に調整することを選択することができる。上記の方法はいずれもこれに対応するように容易に適合させることができる。
【００４５】
上記の実施形態において、ＣＣＥ割当てモジュール３９は、分割データ４１を用いて、制御データを異なるユーザーデバイスに搬送する際に用いるためのＣＣＥの２つのサブセットを規定した。当業者であれば理解するように、分割データ４１が被分割部分を規定することができる種々の方法がある。例えば、分割データ４１は、単に各サブセット内にＣＣＥのＣＣＥ番号を含むことによって、各サブセット内のＣＣＥを規定することができるか、又はサブフレームのうちの１つ又は複数において被分割部分を動的に決定するために、ＣＣＥ割当てモジュール３９によって実行されることになるステップを規定することができる。
【００４６】
変更及び代替
以上、詳細な実施形態について説明した。当業者であれば理解するように、上記の実施形態に具体化された本発明の恩恵を更に受けつつ、これらの実施形態に対して、複数の変更及び代替を行うことができる。ここで、例示として、これらの代替及び変更のうちの複数について説明する。
【００４７】
上記の実施形態では、上記で説明したリソース割当て技法が用いられた、移動電話に基づく電気通信システムを説明した。当業者であれば理解するように、こうした通信のためのリソースをスケジューリングするための技法を、複数のリソースブロックを用いる任意の通信システムにおいて用いることができる。一般的な場合においては、基地局は、複数の異なるユーザーデバイスと通信する通信ノードに置き換えられる。例えば、本明細書全体を通じて、用語「移動電話」が用いられているが、説明される方法及び装置は、任意の通信ユーザーデバイス、例えば携帯情報端末、ラップトップコンピューター、ウェブブラウザー等に等しく適用可能である。
【００４８】
上記の実施形態では、基地局は、２０ＭＨｚの動作帯域幅を有すると仮定され、各リソースブロックは１２個又は２４個のサブキャリアを含んでいた。当業者であれば理解するように、本発明は、この特定のサイズの帯域幅にもリソースブロックサイズにも、説明したサブキャリアの周波数間隔にも限定されない。
【００４９】
上記の実施形態では、複数のソフトウェアモジュールについて説明した。当業者であれば理解するように、ソフトウェアモジュールは、コンパイル形式又は非コンパイル形式で提供されてもよく、基地局若しくは移動電話に、コンピューターネットワークを介した信号として供給されてもよく、又は記録媒体上において供給されてもよい。さらに、このソフトウェアの一部又は全部によって実施される機能は、１つ又は複数の専用ハードウェア回路を用いて実施されてもよい。しかしながら、ソフトウェアモジュールの使用によって、基地局５及び移動電話３の機能を更新するために該基地局５及び移動電話３を更新することが容易になるため、ソフトウェアモジュールの使用が好ましい。また、上記で説明したモジュールは、別個のモジュールとして規定されない場合があり、代わりに、基地局及び／又は移動電話のオペレーティングシステム内に組み込んでもよい。
【００５０】
種々の他の変更は当業者には明らかであり、ここでは、更に詳細には説明しない。
【００５１】
以下は、現在提案されている３ＧＰＰ標準規格において本発明を実施することができる方法の詳細な説明である。種々の特徴が不可欠であるか、又は必要であるように記述されるが、これは、例えば、その標準規格によって課せられる他の要件に起因して、提案された３ＧＰＰ標準規格の場合のみ当てはまる場合がある。それゆえ、ここで述べられることは、本発明を多少なりとも制限するものと解釈されるべきではない。
【００５２】
ＬＴＥにおけるＰＤＣＣＨのためのＣＣＥ割当て方法
無線通信システムにおいて、ユーザーがデータを送受信するには、該ユーザーに物理無線リソースを割り当てる必要があり、該ユーザーに制御シグナリングによってそのリソース割当てを通知しなければならない。ＬＴＥでは、物理ダウンリンク制御チャネル（ＰＤＣＣＨ）がスケジューリング割当て及び他の制御情報を搬送し、そのセル内のユーザーにスケジューリング割当てをシグナリングするために用いられるＰＤＣＣＨリソースが動的に割り当てられる。
【００５３】
ＰＤＣＣＨは、１つ又は複数の連続した制御チャネル要素（ＣＣＥ）の集合体からなり、１つのＣＣＥはセルの利用可能な物理無線リソースの一部を占有する。セル内で利用可能なＣＣＥの全数はセルのシステム帯域幅及び所与のサブフレームにおいてＰＤＣＣＨ送信のために予約されるＯＦＤＭシンボルの数による。
【００５４】
ＰＤＣＣＨは、表２に記載されるような複数のフォーマットをサポートする。これらのフォーマットは異なる符号化率に対応しており、セルのエッジにいるユーザーは、そのリソース割当てメッセージのために、セルの中心付近にいるユーザーよりも高いＰＤＣＣＨフォーマット（それゆえ、より多くのＣＣＥリソース）を必要とする場合がある。所与のユーザーによって必要とされるＰＤＣＣＨフォーマットは、そのチャネル条件に従って経時的に変化する場合があり、そのフォーマットは基地局によって動的に選択される。ユーザーがリソース割当てメッセージを検出し損なう場合があることを覚悟して、より低いフォーマットを割当てることができる。
【００５５】
【表２】
0005601482.tif 000003
【００５６】
ｎ個の連続したＣＣＥからなるＰＤＣＣＨは、ｉ  ｍｏｄ  ｎ＝０を満たすＣＣＥにおいてのみ開始することができる。ただし、ｉはＣＣＥ番号である。
【００５７】
１つのサブフレームにおいて複数のＰＤＣＣＨを送信することができる。
【００５８】
所与のＣＣＥを用いてＵＬリソース割当て又はＤＬリソース割当てのいずれかをシグナリングすることができ、セル内のＣＣＥリソースはＤＬスケジューラとＵＬスケジューラとの間で共有されなければならない。
【００５９】
ユーザーは、リソース割当てをいつシグナリングされることになるか、又はリソース割当てをシグナリングするためにどのＣＣＥが用いられることになるか、又はどのＰＤＣＣＨフォーマットが用いられることになるかをあらかじめ知らない。それゆえ、各ユーザーは、リソース割当てメッセージを見つけるために、サブフレームごとにＰＤＣＣＨを走査しなければならない。このプロセスの複雑さを妥当な限度内に抑えるために、各ユーザーは、セル内のＣＣＥのサブセットのみを探索する。このサブセットは経時的に変化し、ＵＥ及び基地局の両方にとって既知であるユーザー固有擬似ランダムプロセスによって規定される。
【００６０】
ＰＤＣＣＨ動作の更なる詳細については、参考文献１のセクション６．８．１及び参考文献２のセクション９．１．１を参照されたい。
【００６１】
参考文献１：3GPP TS 36.211「Evolved Universal Terrestrial Radio Access (E-UTRA); Physical channels and modulation」
http://www.3gpp.org/ftp/Specs/archive/36_series/36.211/36211-880.zip
参考文献２：3GPP TS 36.213「Evolved Universal Terrestrial Radio Access (E-UTRA); Physical layer procedures」
http://www.3gpp.org/ftp/Specs/archive/36_series/36.213/36213-880.zip
【００６２】
各ユーザーが任意の所与のサブフレームにおいてＣＣＥのサブセットのみを監視しているということは、明らかに基地局にとってＣＣＥ割当て問題を更に難しくする。なぜなら、それは、セル内に未使用のＣＣＥが存在する場合であっても、どのＣＣＥが他のユーザーに既に割り当てられているかによって、所与のユーザーにＣＣＥリソースを割当てできない場合があることを意味するためである。
【００６３】
最良の全体性能を得るために、ＣＣＥリソース割当ては、スケジューラ処理の一部として実行されるべきである。しかしながら、これは、スケジューリングアルゴリズムを著しく複雑にする可能性がある。効率は下がるが、より実用的な解決策は、メインスケジューリングアルゴリズムの前に、最初にＣＣＥ割当てを実行することである。この場合、（暫定的な）ＣＣＥ割当てを受信するのに成功する候補ユーザーのみが、メインスケジューリングアルゴリズムのための候補と見なされる。これが、本明細書において想定される手法である。
【００６４】
ＣＣＥ割当てを受信し損ねた候補ユーザーは、ブロックされたと言われる。ＣＣＥブロッキングは、メインスケジューラが、低減され、かつ準最適な候補ユーザーリストに基づいて動作していることを意味するので、全セルスループットに悪影響を及ぼす。
【００６５】
ＵＬスケジューラとＤＬスケジューラとの間でＣＣＥリソースを共有する必要があることに起因して、更に厄介な問題が生じる。実際の実施態様では、ＵＬスケジューラ及びＤＬスケジューラは物理的に別々のプロセッサにおいて動作している場合があり、サブフレーム内の異なる時刻において実行する場合があることが起こり得る。この場合、ＵＬ及びＤＬのためのＣＣＥ割当て処理は同時に実行することはできない。
【００６６】
ここで、ＣＣＥ割当てを実行するための幾つかの方法が記述される。
【００６７】
方法Ａ（関連技術）
この方法は、ＵＬ  ＣＣＥ割当て及びＤＬ  ＣＣＥ割当てを同時に実行できるものと仮定する。ＣＣＥリソースはＵＬユーザー及びＤＬユーザーに順に割り当てられる。この結果、ＵＬとＤＬとの間のブロッキングの確率は概ね等しくなる。
【００６８】
方法Ｂ（関連技術）
この方法では、ＤＬのために割り当てられるＣＣＥの数が或るしきい値以下になるまで、ＤＬユーザーが最初に割り当てられ、その後、ＵＬユーザーがＤＬによって使用されなかったＣＣＥの中からＣＣＥを割り当てられる。
【００６９】
この方法の利点は、ＵＬ  ＣＣＥ割当て及びＤＬ  ＣＣＥ割当てが同時に実行される必要がないので、ＵＬスケジューラ及びＤＬスケジューラが異なる時刻において実行できることである。しかしながら、ＣＣＥ  ＵＬ割当てのための自由度がＤＬに対して既に行なわれているＣＣＥ割当てによって制限されるので、この方法は、ＵＬ  ＣＣＥブロッキングの確率が高いという不都合がある。
【００７０】
方法Ｃ（新たな提案）
この方法では、ＣＣＥが２つのサブセットに分割され、各サブセットは、ＵＬスケジューラ又はＤＬスケジューラのいずれかによって排他的に用いられるように予約される。
【００７１】
この場合、ＵＬ  ＣＣＥ割当て及びＤＬ  ＣＣＥ割当ては同時に実行される必要はなく、ＵＬ及びＤＬのためのブロッキングは同様になるであろう（ただし、ＵＬ及びＤＬの両方が全ＣＣＥリソースのサブセットからのみ選択することができるので、方法Ａよりも依然として幾分劣る）。
【００７２】
これを行なうための１つの方法は、ＣＣＥを２つの連続したブロックに分割することである。しかしながら、所与のユーザーによって走査されるＣＣＥサブセットが全体として、２つの被分割部分のうちの１つに含まれる可能性があるので、これは良くない方法である。例えば、ユーザーのサブセットがＵＬ被分割部分内に含まれる場合には、そのユーザーを（少なくともそのサブフレームにおいて）ＤＬ上でスケジューリングすることはできないであろう。
【００７３】
代替的な方法は、ＣＣＥをＵＬとＤＬとの間で交互に入れ替えること、例えば、偶数番目のＣＣＥをＵＬに、奇数番目のＣＣＥをＤＬに割当てることであろう。しかしながら、１人のユーザーのためのＣＣＥ割当ては連続したＣＣＥからならなければならないので、これは、ＰＤＣＣＨフォーマット０のみを用いることができ（表２を参照）、より高いＰＤＣＣＨフォーマットを必要とするユーザーは永久にブロックされることを意味することになることを意味するであろう。
【００７４】
ここで、幾つかの他の分割方法が記述される。
【００７５】
方法Ｃ１
この方法では、連続したＣＣＥのグループが、ＵＬ又はＤＬのいずれかのために交互に入れ替わるように予約される。これは、４のグループサイズについては図５に示されており、８のグループサイズについては図６に示される（４のグループサイズの場合、ＰＤＣＣＨフォーマット３は用いることができないことは明らかであるが、これは、セルサイズ等によっては受け入れることができる）。
【００７６】
一般的に、グループサイズを小さくすると、結果としてＣＣＥ割当てがより効率的になる（それゆえ、全セルスループットがより良好になる）が、ＰＤＣＣＨフォーマットの制約が増えるという犠牲を払うことになる。
【００７７】
方法Ｃ２
グループサイズがサブフレーム間で変更されることを除けば、この方法は方法Ｃ１に類似である。図７は、グループサイズが４と８との間で交互に入れ替わる一例を示す。
【００７８】
この方法によれば、より大きなＰＤＣＣＨフォーマットを用いるユーザーを、幾つかのサブフレームにおいてのみではあるが、スケジューリングできる。残りのサブフレームでは、より小さなグループサイズを用いることによってスケジューリング効率が改善される。
【００７９】
方法Ｃ３
この方法では、方法Ｃ１の場合と同様に、ＣＣＥは固定サイズの複数のグループに編成されるが、ＵＬ及びＤＬの交互パターンを用いる代わりに、それらのグループはＵＬ又はＤＬのいずれかに擬似ランダムに割当てられる。擬似ランダム割当てでは、隣接するグループはしばしば同じリンク方向に割り当てられることになり、１つのグループよりも大きな連続したブロックを必要とするＰＤＣＣＨフォーマットのための送信機会を与える。
【００８０】
ＵＬ及びＤＬの両方のために予約されるＣＣＥの割合が一定であるように擬似ランダム割当てが行なわれることが好ましいことに留意されたい。これは、ＵＬに対してグループの最初の半分及びＤＬに対して残りを割当て、その後、それらのグループを擬似ランダムに並べ替えることによって達成することができる。
【００８１】
示された例の全てにおいて、ＵＬ及びＤＬに対して等しいＣＣＥリソースが予約されるものと仮定されている。しかしながら、これは必ずしも当てはまるものではない。基地局は、例えば、任意の所与の時点のＵＬ及びＤＬの相対的なセル負荷に基づいて、ＵＬ及びＤＬのために予約されるＣＣＥリソースの割合を動的に調整することを選択することができる。上記の方法はいずれもこれに対応するように容易に適合させることができる。
【符号の説明】
【００８２】
３−０〜３−２    移動電話
５    基地局
７    電話網
２１、７１    送受信機回路
２３、７３    アンテナ
２５    ネットワークインターフェース
２７、７５    コントローラ
２９、８５    メモリ
３１、８７    オペレーティングシステム
３３、９１    通信制御モジュール
３５    ＵＬスケジューラ
３７    ＤＬスケジューラ
３９    ＣＣＥ割当てモジュール
４１    分割データ
４３    ＭＴデータ
７７    スピーカー
７９    マイクロフォン
８１    ディスプレイ
８３    キーパッド
８９    リソース決定モジュール
【図１】
0005601482.tif 000004
【図２ａ】
0005601482.tif 000005
【図２ｂ】
0005601482.tif 000006
【図３】
0005601482.tif 000007
【図４】
0005601482.tif 000008
【図５】
0005601482.tif 000009
【図６】
0005601482.tif 000010
【図７】
0005601482.tif 000011
【図８】
0005601482.tif 000012